(57)【要約】  信号復調部（２０３）は、放送波に含まれている任意のチャンネルの信号を復調することによって、多重化されたストリームデータを生成する。分離復号部（２０５）は、上記ストリームデータを、放送コンテンツを構成するテキストデータ、画像データ、および音声データなどに分離する。表示部（２０６）は、テキストデータおよび`画像データを出力する。音声出力部（２０７）は、音声データを出力する。起動制御信号検出部（２０４）は、上記信号から起動制御信号を検出したとき、信号復調部（２０３）、分離復号部（２０５）、表示部（２０６）、および音声出力部（２０７）の起動を制御する。これにより、放送受信装置を通じてプッシュ型放送を利用する際の、利用者の利便性を高める。
2009011319.tif 000002
【特許請求の範囲】
【請求項１】
放送波に含まれている任意のチャンネルの信号を復調することによって、多重化されたストリームデータを生成する信号復調手段と、
上記ストリームデータを、放送コンテンツを構成する個別データに分離する分離復号手段と、
上記個別データを出力する出力手段とを備えている放送受信装置であって、
上記信号から、起動制御信号を検出する検出手段と、
上記検出手段によって上記起動制御信号が検出されたとき、上記信号復調手段、上記分離復号手段、および上記出力手段を起動させる起動制御手段とを備えていることを特徴とする放送受信装置。
【請求項２】
放送波に含まれている任意のチャンネルの信号を復調することによって、多重化されたストリームデータを生成する信号復調手段と、
上記ストリームデータを、放送コンテンツを構成する個別データに分離する分離復号手段と、
上記個別データを出力する出力手段とを備えている放送受信装置であって、
上記信号から起動制御信号を検出する検出手段と、
放送受信装置を振動させる振動制御手段と、
上記検出手段によって上記起動制御信号が検出されたとき、上記出力手段および振動制御手段のうち少なくともいずれかを起動させる起動制御手段とをさらに備えていることを特徴とする放送受信装置。
【請求項３】
上記出力手段は、表示手段であり、
上記起動制御手段は、上記表示手段を起動させて、プッシュ型放送の存在を通知する情報を表示させることを特徴とする請求の範囲第２項に記載の放送受信装置。
【請求項４】
上記出力手段は、音声出力手段であり、
上記起動制御手段は、上記音声出力手段を起動させて、プッシュ型放送の存在を通知する音を出力させることを特徴とする請求の範囲第２項または第３項に記載の放送受信装置。
【請求項５】
放送波を受信し、当該放送波から任意のチャンネルの信号を抽出する視聴用チューナ手段と、
上記信号を復調することによって、多重化されたストリームデータを生成する信号復調手段と、
上記ストリームデータを、放送コンテンツを構成する個別データに分離する分離復号手段と、
上記個別データを出力する出力手段とを備えている放送受信装置であって、
上記放送波を受信し、当該放送波から、上記チャンネルとは異なる他のチャンネルの信号を抽出する検出用チューナ手段と、
上記他のチャンネルの信号から、起動制御信号を検出する検出手段と、
上記検出手段によって上記起動制御信号が検出されたとき、上記視聴用チューナ手段が抽出する信号のチャンネルを、上記他のチャンネルに切り替える切り替え制御手段とをさらに備えていることを特徴とする放送受信装置。
【請求項６】
放送波を受信し、当該放送波から任意のチャンネルの信号を抽出する視聴用チューナ手段と、
上記信号を復調することによって、多重化されたストリームデータを生成する信号復調手段と、
上記ストリームデータを、放送コンテンツを構成する個別データに分離する分離復号手段と、
上記個別データを出力する出力手段とを備えている放送受信装置であって、
上記放送波を受信し、当該放送波から、上記チャンネルとは異なる他のチャンネルの信号を抽出する検出用チューナ手段と、
上記他のチャンネルの信号から、起動制御信号を検出する検出手段と、
放送受信装置を振動させる振動制御手段と、
上記検出手段によって上記起動制御信号が検出されたとき、上記出力手段および振動制御手段のうち少なくともいずれかに対し、プッシュ型放送の存在を通知する情報、音、および振動のいずれかを出力させるための出力制御手段とをさらに備えていることを特徴とする放送受信装置。
【請求項７】
上記起動制御信号は、ＯＮ状態とＯＦＦ状態とを周期的に繰り返すことを特徴とする請求の範囲第１項、第２項、第５項、および第６項のいずれか１項に記載の放送受信装置。
【請求項８】
放送送信装置と、請求の範囲第１項、第２項、第５項、および第６項のいずれか１項に記載の放送受信装置とを含んだ放送システムであって、
上記放送送信装置は、
上記起動制御信号を生成する生成手段と、
上記生成された起動制御信号が多重化された上記放送波を上記放送受信装置に送信する送信手段とを備えていることを特徴とする放送システム。
【請求項９】
請求の範囲の第１項、第２項、第５項、および第６項のいずれか１項に記載の放送受信装置を動作させる放送受信プログラムであって、コンピュータを上記の各手段として機能させるための放送受信プログラム。
【請求項１０】
請求の範囲第９項に記載の放送受信プログラムを記録しているコンピュータ読み取り可能な記録媒体。
【発明の詳細な説明】
【技術分野】
【０００１】
本発明は、プッシュ型放送を受信し、当該放送に係るコンテンツを再生して利用者に提示する放送受信装置、放送システム、放送受信プログラム、および記録媒体に関する。
【背景技術】
【０００２】
従来の情報提供サービスの形態として、情報の利用者が能動的に情報を引き出す操作を行うプル型情報サービスと、情報の提供者が一方的に情報を送信するプッシュ型情報サービスがある。【０００３】
前者のプル型情報サービスの最も代表的な例はウェブサイトである。利用者は、ウェブブラウザにＵＲＬを入力したり、またはブラウザに表示されたリンクを選択したりすることによって、情報を取得する。これに対しプッシュ型情報サービスでは、利用者はＵＲＬの入力やリンクの選択などの操作を行う必要はなく、サービス提供者が送信する情報を端末において自動的かつ受動的に受信し、ディスプレイやスピーカにより出力する。【０００４】
このようなプッシュ型情報サービスには、商店街やデパートなど特定の地域内の端末に向けて、セール情報やクーポンなど地域と密着した情報を送信するといった利用方法がある。【０００５】
たとえば特許文献１には、移動機の位置を無線基地局のゾーンを単位として示す位置情報により収集し、情報提供者の所望の地域に存在する移動機にのみ、特定地域に密着した情報を提供するシステムが開示されている。【０００６】
また、同様に特定地域に密着した情報を提供する方法として、特定の地域にのみ送られる放送波を利用する、いわゆるプッシュ型放送が知られている。この方法では、放送の受信機能を備えた端末において、放送波の周波数帯に受信チャンネルを合わせることによって、利用者は情報を取得できる。
【特許文献１】日本国公開特許公報「特開平１１−２２５３７５号公報（公開日：１９９９年８月１７日）」
【発明の開示】
【０００７】
特許文献１に記載のシステムでは、プッシュ型情報サービスが基地局を介した通信ネットワークにより提供される場合、対象とする移動機が増えるとネットワークのトラフィックが増えてしまう。これにより、同じネットワークを使用して提供される音声通話やプル型情報サービスなど、他のサービスの利用が阻害される問題が生じる。
【０００８】
一方、プッシュ型放送のシステムでは、上記のトラフィック増大といった問題は発生しないものの、利用者があらかじめ放送の存在を知ったり、端末を操作してチャンネルを合わせたりする必要がある。しかしながら、サービスの存在を知らせる看板や街頭ポスターなどを見落としたためにサービスの存在に気づかずに利用できない、あるいはチャンネル操作が煩わしいために利用しないといった問題がある。
【０００９】
本発明は上記の問題点に鑑みてなされたものであり、放送受信装置を通じてプッシュ型放送（プッシュ型情報）を利用する際の、利用者の利便性を高める放送受信装置、放送システム、放送受信プログラム、および記録媒体を提供することにある。
【００１０】
本発明に係る放送受信装置は、上記の課題を解決するために、
放送波に含まれている任意のチャンネルの信号を復調することによって、多重化されたストリームデータを生成する信号復調手段と、
上記ストリームデータを、放送コンテンツを構成する個別データに分離する分離復号手段と、
上記個別データを出力する出力手段とを備えている放送受信装置であって、
上記信号から、起動制御信号を検出する検出手段と、
上記検出手段によって上記起動制御信号が検出されたとき、上記信号復調手段、上記分離復号手段、および上記出力手段を起動させる起動制御手段とを備えていることを特徴としている。
【００１１】
上記の構成によれば、放送受信装置は、放送波に含まれている任意のチャンネルの信号を復調することによって、多重化されたストリームデータを生成する。こうして生成したストリームデータを、放送コンテンツを構成する個別データ（テキスト、画像、音声など）に分離し、出力する。たとえば画像や動画はディスプレイに出力し、音声はスピーカに出力する。これらの処理によって、放送受信装置は放送コンテンツを再生する。
【００１２】
ここで、放送受信装置は、上記信号から起動制御信号を検出する。この起動制御信号は、放送受信装置に含まれる各手段の起動を制御するための信号である。放送受信装置は、起動制御信号を検出したとき、信号復調手段、分離復号手段、および出力手段を起動させる。この起動制御により、放送コンテンツの再生に必要な各手段がいずれも動作する状態になるので、放送受信装置は、当該放送コンテンツを再生（出力）し、利用者に提示できる。
【００１３】
以上のように、放送受信装置は、プッシュ型放送の存在を検出したとき、当該プッシュ型放送のコンテンツを自動的に再生して利用者に提示する。したがって、プッシュ型放送サービスの提供者は、放送受信装置の利用者にプッシュ型放送のコンテンツを利用させるために、サービスを行うチャンネルを周知する手間を削減できる効果を奏する。また、放送受信装置の利用者は、プッシュ型放送のコンテンツを利用するために、手動でチャンネルを設定する手間を削減できる効果を奏する。すなわち、放送受信装置を通じてプッシュ型放送を利用する際の、利用者の利便性を高めることができる効果を奏する。
【００１４】
本発明に係る放送受信装置は、上記の課題を解決するために、
放送波に含まれている任意のチャンネルの信号を復調することによって、多重化されたストリームデータを生成する信号復調手段と、
上記ストリームデータを、放送コンテンツを構成する個別データに分離する分離復号手段と、
上記個別データを出力する出力手段とを備えている放送受信装置であって、
上記信号から起動制御信号を検出する検出手段と、
放送受信装置を振動させる振動制御手段と、
上記検出手段によって上記起動制御信号が検出されたとき、上記出力手段および振動制御手段のうち少なくともいずれかを起動させる起動制御手段とをさらに備えていることを特徴としている。
【００１５】
上記の構成によれば、放送受信装置は、放送波に含まれている任意のチャンネルの信号を復調することによって、多重化されたストリームデータを生成する。こうして生成したストリームデータを、放送コンテンツを構成する個別データ（テキスト、画像、音声など）に分離し、出力する。たとえば画像や動画はディスプレイに出力し、音声はスピーカに出力する。これらの処理によって、放送受信装置は放送コンテンツを再生する。
【００１６】
ここで放送受信装置は、上記信号から起動制御信号を検出する。この起動制御信号は、放送受信装置に含まれる各手段の起動を制御するための信号である。放送受信装置は、起動制御信号を検出したとき、出力手段および振動制御手段のうち少なくともいずれかを起動する。
【００１７】
これにより、出力手段を起動した場合には、所定の情報を出力する。たとえば出力手段が表示手段なら、プッシュ型放送の存在を通知するテキストやアイコンを表示する。一方、出力手段が音声出力手段なら、プッシュ型放送の存在を通知する電子音や音楽を出力する。したがって、これらのテキストやアイコンを目にしたり、音声や音楽を耳にしたりした利用者は、プッシュ型放送の存在を知ることができる。
【００１８】
一方、放送受信装置は、振動制御手段を起動させた場合には、プッシュ型放送の存在を通知する振動パターンによって振動する。この振動を感知した利用者は、プッシュ型放送の存在を知ることができる。
【００１９】
以上のように、放送受信装置は、プッシュ型放送の存在を検出した場合、放送コンテンツを再生することなく、プッシュ型放送の存在を利用者に通知する。これにより、自動車の運転中など利用者が放送コンテンツを視聴することが不可能な状況下において、無駄な電池の消耗を抑え、また突然放送受信装置が起動した驚きによって運転操作を誤るといった、不測の事態を避けることができる効果を奏する。その結果、放送受信装置を通じてプッシュ型放送を利用する際の、利用者の利便性を高めることができる。
【００２０】
本発明に係る放送受信装置は、上記の課題を解決するために、
放送波を受信し、当該放送波から任意のチャンネルの信号を抽出する視聴用チューナ手段と、
上記信号を復調することによって、多重化されたストリームデータを生成する信号復調手段と、
上記ストリームデータを、放送コンテンツを構成する個別データに分離する分離復号手段と、
上記個別データを出力する出力手段とを備えている放送受信装置であって、
上記放送波を受信し、当該放送波から、上記チャンネルとは異なる他のチャンネルの信号を抽出する検出用チューナ手段と、
上記他のチャンネルの信号から、起動制御信号を検出する検出手段と、
上記検出手段によって上記起動制御信号が検出されたとき、上記視聴用チューナ手段が抽出する信号のチャンネルを、上記他のチャンネルに切り替える切り替え制御手段とをさらに備えていることを特徴としている。
【００２１】
上記の構成によれば、放送受信装置は、放送波に含まれている任意のチャンネルの信号を復調することによって、多重化されたストリームデータを生成する。こうして生成したストリームデータを、放送コンテンツを構成する個別データ（テキスト、画像、音声など）に分離し、出力する。たとえば画像や動画はディスプレイに出力し、音声はスピーカに出力する。これらの処理によって、放送受信装置は放送コンテンツを再生する。
【００２２】
ここで放送受信装置は、検出用チューナ手段を通じて上記放送波を受信し、当該放送波から、視聴用チューナ手段が放送波から抽出するチャンネルとは異なる、他のチャンネルの信号を抽出する。これにより、当該他のチャンネルの信号から起動制御信号を検出する。この起動制御信号は、放送受信装置に含まれる各手段の起動を制御するための信号である。放送受信装置は、起動制御信号を検出したとき、視聴用チューナ手段が抽出する信号のチャンネルを、上記他のチャンネルに切り替える。
【００２３】
この切り替え制御により、放送受信装置は、存在を検出したプッシュ型放送のチャンネルの放送コンテンツを、自動的に受信して再生し、利用者に提示する。これにより、利用者に他の放送コンテンツを視聴中においてもプッシュ型放送のコンテンツを視聴させることができる効果を奏する。その結果、放送受信装置を通じてプッシュ型放送を利用する際の、利用者の利便性を高めることができる。
【００２４】
本発明に係る放送受信装置は、上記の課題を解決するために、
放送波を受信し、当該放送波から任意のチャンネルの信号を抽出する視聴用チューナ手段と、
上記信号を復調することによって、多重化されたストリームデータを生成する信号復調手段と、
上記ストリームデータを、放送コンテンツを構成する個別データに分離する分離復号手段と、
上記個別データを出力する出力手段とを備えている放送受信装置であって、
上記放送波を受信し、当該放送波から、上記チャンネルとは異なる他のチャンネルの信号を抽出する検出用チューナ手段と、
上記他のチャンネルの信号から、起動制御信号を検出する検出手段と、
放送受信装置を振動させる振動制御手段と、
上記検出手段によって上記起動制御信号が検出されたとき、上記出力手段および振動制御手段のうち少なくともいずれかに対し、プッシュ型放送の存在を通知する情報、音、および振動のいずれかを出力させるための出力制御手段とをさらに備えていることを特徴としている。
【００２５】
上記の構成によれば、放送受信装置は、放送波に含まれている任意のチャンネルの信号を復調することによって、多重化されたストリームデータを生成する。こうして生成したストリームデータを、放送コンテンツを構成する個別データ（テキスト、画像、音声など）に分離し、出力する。たとえば画像や動画はディスプレイに出力し、音声はスピーカに出力する。これらの処理によって、放送受信装置は放送コンテンツを再生する。
【００２６】
ここで放送受信装置は、検出用チューナ手段を通じて上記放送波を受信し、当該放送波から、視聴用チューナ手段が放送波から抽出するチャンネルとは異なる、他のチャンネルの信号を抽出する。これにより、当該他のチャンネルの信号から起動制御信号を検出する。この起動制御信号は、放送受信装置に含まれる各手段の起動を制御するための信号である。放送受信装置は、起動制御信号を検出したとき、出力手段および振動制御手段のうち少なくともいずれかに対し、プッシュ型放送の存在を通知する表示や、音の出力、振動の制御を行う。
【００２７】
これにより、出力手段を制御した場合には、所定の情報を出力する。たとえば出力手段が表示手段なら、プッシュ型放送の存在を通知するテキストやアイコンを表示する。一方、出力手段が音声出力手段なら、プッシュ型放送の存在を通知する電子音や音楽を出力する。したがって、これらのテキストやアイコンを目にしたり、音声や音楽を耳にしたしたりした利用者は、プッシュ型放送の存在を知ることができる。
【００２８】
一方、放送受信装置は、振動制御手段を制御した場合には、プッシュ型放送の存在を通知する振動パターンによって振動する。この振動を感知した利用者は、プッシュ型放送の存在を知ることができる。
【００２９】
以上のように、放送受信装置は、プッシュ型放送の存在を検出した場合、プッ  シュ型放送の存在を利用者に通知する。これにより、利用者が他の放送コンテンツを視聴中に、視聴中のコンテンツのハイライトシーンを見逃すことなくプッシュ型放送の存在を知ることができるという効果を奏する。その結果、放送受信装置を通じてプッシュ型放送を利用する際の、利用者の利便性を高めることができる。
【００３０】
本発明に係る放送システムは、上記の課題を解決するために、
放送送信装置と、上述したいずれかの放送受信装置とを含んだ放送システムであって、
上記放送送信装置は、
上記起動制御信号を生成する生成手段と、
上記生成された起動制御信号が多重化された上記放送波を上記放送受信装置に送信する送信手段とを備えていることを特徴としている。
【００３１】
上記の構成によれば、放送受信装置を通じてプッシュ型放送を利用する際の、利用者の利便性を高めることができる放送システムを提供できる効果を奏する。
【００３２】
なお、上記放送受信装置は、コンピュータによって実現してもよい。この場合、コンピュータを上記各手段として動作させることにより上記放送受信装置をコンピュータにおいて実現する放送受信プログラム、およびその放送受信プログラムを記録したコンピュータ読み取り可能な記録媒体も、本発明の範疇に入る。
【００３３】
本発明の他の目的、特徴、および優れた点は、以下に示す記載によって充分に分かるであろう。また、本発明の利点は、添付図面を参照した次の説明で明白になるであろう。
【図面の簡単な説明】
【００３４】
【図１】本実施形態に係るプッシュ型放送システムの概略構成を示すブロック図である。
【図２】起動制御信号の時間特性を示す図である。
【図３】本発明の第１の実施形態に係る放送受信装置が、受信した放送波から起動制御信号を検出したときに、信号復調部、分離復号部、表示部、および音声出力部に対し起動制御を行う際の処理の流れを示すフローチャートである。
【図４】インデックス番号ｎの割り当ての一例を示す図である。
【図５】本発明の第２の実施形態に係る放送受信装置の要部構成を示すブロック図である。
【図６】本発明の第３の実施形態に係る放送受信装置の要部構成を示すブロック図である。
【図７】本発明の第４の実施形態に係る放送受信装置の概略構成を示すブロック図である。
【図８】プッシュ型放送を検出した場合のテキスト表示の一例を示す図である。
【図９】プッシュ型放送を検出した場合のアイコン表示の一例を示す図である。
【図１０】本発明の第３の実施形態に係る放送受信装置が、起動制御信号を検出したときに、受信チャンネルを強制的にプッシュ型放送のものに切り替える際の処理の流れを示すフローチャートである。
【図１１】本発明の第４の実施形態に係る放送受信装置が、起動制御信号を検出したときに、表示部、音声出力部、および振動制御部のうち少なくともいずれかの起動を制御する際の処理の流れを示すフローチャートである。
【図１２】起動制御信号としてＴＭＣＣ信号の緊急警報放送用起動フラグを用いた場合の、緊急警報放送との識別を可能とする信号の一例を示す図である。
【図１３】ＡＲＩＢ  ＳＴＤ−Ｂにおいて定められている、緊急情報記述子のシンタックスを示す図である。
【図１４】起動制御信号としてＴＭＣＣ信号の緊急警報放送用起動フラグを用いた場合の、緊急警報放送との識別を可能とする緊急情報記述子のシンタックス例を示す図である。
【図１５】再送信を行う際に、地域と密着したプッシュ型放送の放送コンテンツを送信する放送送信装置の要部構成を示すブロック図である。
【図１６】再送信を行う際に、地域と密着したプッシュ型放送の放送コンテンツを送信する放送送信装置の要部構成を示す図である。
【図１７】本発明の第１の実施形態に係る放送送信装置の他の要部構成を示すブロック図である。
【図１８】本発明の第１の実施形態に係る放送送信装置の他の要部構成を示すブロック図である。
【符号の説明】
【００３５】
１０１  放送送信装置
１０２  多重化部
１０３  伝送路符号化部
１０４  起動制御信号生成部（起動制御信号生成手段）
１０５  放送波送出部
１０６  放送コンテンツ蓄積部
１０７  アンテナ
２０１  放送受信装置
２０２  チューナ部
２０３  信号復調部（信号復調手段）
２０４  起動制御信号検出部（検出手段、起動制御手段）
２０５  分離復号部（分離復号手段）
２０６  表示部（出力手段）
２０７  音声出力部（出力手段）
２０８  アンテナ
５０１  放送受信装置
５０２  チューナ部
５０３  信号復調部（信号復調手段）
５０４  起動制御信号検出部（検出手段、起動制御手段、切り替え制御手段）
５０５  分離復号部（分離復号手段）
５０６  表示部（出力手段）
５０７  音声出力部（出力手段）
５０８  アンテナ
５０９  振動制御部（振動制御手段）
６０１  放送受信装置
６０２  検出用チューナ部（検出用チューナ手段）
６０３  信号復調部（信号復調手段）
６０４  起動制御信号検出部（検出手段、切り替え制御手段）
６０５  分離復号部（分離復号手段）
６０６  表示部（出力手段）
６０７  音声出力部（出力手段）
６０８  アンテナ
６１０  視聴用チューナ部（視聴用チューナ手段）
７０１  放送受信装置
７０２  検出用チューナ部（検出用チューナ手段）
７０３  信号復調部（信号復調手段）
７０４  起動制御信号検出部（検出手段、起動制御手段、出力制御手段）
７０５  分離復号部（分離復号手段）
７０６  表示部（出力手段）
７０７  音声出力部（出力手段）
７０８  アンテナ
７０９  振動制御部（振動制御手段）
７１０  視聴用チューナ部（視聴用チューナ手段）
１５０１  放送送信装置
１５０２  再多重化部
１５０３  伝送路符号化部
１５０４  起動制御信号生成部（起動制御信号生成手段）
１５０５  放送波送出部
１５０６  放送コンテンツ蓄積部
１５０７  本放送受信部
１５０８  アンテナ
１５０９  アンテナ
１５１０  本放送局
１６０１  放送送信装置
１６０２  再多重化部
１６０３  伝送路符号化部
１６０４  起動制御信号生成部（起動制御信号生成手段）
１６０５  放送波送出部
１６０６  放送コンテンツ蓄積部
１６０７  ネットワーク接続部
１６０８  アンテナ
１６０９  ＩＰ放送局
１６１０  ネットワーク
１７０１  放送送信装置
１７０２  多重化部
１７０３  伝送路符号化部
１７０４  起動制御信号生成部（起動制御信号生成手段）
１７０５  放送波送出部
１７０６  音声符号化部
１７０７  画像符号化部
１７０８  アンテナ
１７０９  カメラ
１７１０  マイク
１８０１  放送送信装置
１８０２  多重化部
１８０３  伝送路符号化部
１８０４  起動制御信号生成部（起動制御信号生成手段）
１８０５  放送波送出部
１８０７  ネットワーク接続部
１８０８  アンテナ
１８０９  コンテンツサーバー
１８１０  ネットワーク
【発明を実施するための最良の形態】
【００３６】
本発明に係る第１の実施形態について、図面に基づいて以下に説明する。【００３７】
〔実施形態１〕
（プッシュ型放送システム１００の構成）
図１は、本実施形態に係るプッシュ型放送システム１００（放送システム）の概略構成を示すブロック図である。同図に示すように、プッシュ型放送システム１００は、放送送信装置１０１および放送受信装置２０１により構成される。図１には、１個の放送送信装置１０１および１個の放送受信装置２０１を記載することによって、記載の簡略化を図っている。しかし、プッシュ型放送システム１００を構成する放送送信装置１０１および放送受信装置２０１は、いずれも各１個に限定されるものではない。すなわちプッシュ型放送システム１００には、放送受信装置２０１および放送送信装置１０１のいずれか一方または両方が、複数含まれていてもよい。【００３８】
（放送送信装置１０１の構成）
図１に示すように、放送送信装置１０１は、多重化部１０２、伝送路符号化部１０３、起動制御信号生成部１０４（起動制御信号生成手段）、放送波送出部１０５、放送コンテンツ蓄積部１０６、およびアンテナ１０７を備えている。【００３９】
放送コンテンツ蓄積部１０６は、放送コンテンツを構成する各種データ（テキストデータ、画像データ、および音声データなど）を記録（すなわち蓄積）している。多重化部１０２は、放送コンテンツを構成するために必要な各データを放送コンテンツ蓄積部１０６から読み出し、各データを多重化した１つのストリームデータを生成する。たとえば、プッシュ型放送システム１００が現在の地上波デジタルテレビ放送規格ＩＳＤＢ−Ｔに準拠していれば、多重化部１０２は、読み出した各データを細分化することによって、ＭＰＥＧ−２規格に準拠したＴＳＰ（Ｔｒａｎｓｐｏｒｔ  Ｓｔｒｅａｍ  Ｐａｃｋｅｔ）を生成する。【００４０】
伝送路符号化部１０３は、多重化部１０２によって多重化されたデータに各種処理（誤り訂正符号化処理、キャリア変調処理、および周波数変換処理など）を施すことによって、放送波として発射する周波数の伝送信号に変換する。ここでいう各種処理は、ＩＳＤＢ−Ｔ準拠システムにおける、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直行周波数分割多重）変調処理に相当する。【００４１】
起動制御信号生成部１０４は、放送受信装置２０１の状態制御時に参照される起動制御信号を生成する。上述した伝送路符号化部１０３は、起動制御信号生成部１０４によって生成された起動制御信号を、伝送信号に挿入する。これにより放送波送出部１０５は、起動制御信号を含んだ放送波を、放送送信装置１０１の外部に送出する。送出された放送波は大気中を伝播し、アンテナ２０８を通じて放送受信装置２０１の内部に信号として取り込まれる。【００４２】
（放送受信装置２０１の構成）
つぎに、放送受信装置２０１の要部構成について説明する。図１に示すように、放送受信装置２０１は、チューナ部２０２、信号復調部２０３（信号復調手段）、起動制御信号検出部２０４（検出手段、起動制御手段）、分離復号部２０５（分離復号手段）、表示部２０６（出力手段）、音声出力部２０７（出力手段）、アンテナ２０８を備えている。【００４３】
放送受信装置２０１は、アンテナ２０８を通じて放送波を受信する。受信された放送波から、チューナ部２０２が、利用者が視聴を希望するチャンネルの信号を抽出し、信号復調部２０３に出力する。信号復調部２０３は、チューナ部２０２によって抽出された信号を復号し、多重化されたストリームデータとして分離復号部２０５に出力する。分離復号部２０５は、入力されたストリームデータを、放送コンテンツを構成する各種データ（テキスト、画像、音声などのデータ）に復号して、表示部２０６や音声出力部２０７に出力する。【００４４】
表示部２０６は、たとえば画像データを図示しないディスプレイの出力することによって、画像を再生する。一方、音声出力部２０７は、図示しないスピーカに音声データを出力することによって、音声を再生する。すなわち放送受信装置２０１は、これらの処理によって放送コンテンツを再生し、利用者に提示する。【００４５】
起動制御信号検出部２０４は、チューナ部２０２によって抽出されたチャンネルの信号から、起動制御信号の有無を検出する。起動制御信号を検出した場合には、信号復調部２０３、分離復号部２０５、表示部２０６、および音声出力部２０７に対し起動制御を行う。ここでいう「起動制御」とは、放送波を受信した段階ではまだ起動していない状態の各部材を、起動させる制御を意味する。この起動制御を受けることによって、信号復調部２０３、分離復号部２０５、表示部２０６、および音声出力部２０７は、各部材が実行すべき各処理を実行する。【００４６】
（プッシュ型放送時の動作）
つぎに、プッシュ型放送システム１００においてプッシュ型放送がなされる場合の、放送送信装置１０１および放送受信装置２０１の動作について説明する。プッシュ型放送を行う場合、放送送信装置１０１は、起動制御信号生成部１０４によって生成された起動制御信号を、伝送路符号化部１０３によって伝送信号に挿入する。ここで、起動制御信号は一例として図２に示す時間特性を有する。【００４７】
（起動制御信号の時間特性）
図２は、起動制御信号の時間特性を示す図である。図２の横軸は時間を示し、縦軸は起動制御信号の状態（ＯＮまたはＯＦＦ）を示す。起動制御信号は、プッシュ型放送サービスの開始時にＯＦＦ状態からＯＮ状態にセットされ、サービス期間中はＯＮ状態を継続する。また、放送終了時にはＯＮ状態からＯＦＦ状態に変化し、サービスが再開されるまでＯＦＦ状態を継続する。【００４８】
（放送受信装置２０１の動作）
放送受信装置２０１がプッシュ型放送の放送波を受信する時の動作について、図３のフローチャートを用いて説明する。図３は、放送受信装置２０１が、受信した放送波から起動制御信号を検出したときに、信号復調部２０３、分離復号部２０５、表示部２０６、および音声出力部２０７に対し起動制御を行う際の処理の流れを示すフローチャートである。図３の処理の前提条件として、放送受信装置２０１は特定のチャンネルを受信中ではないものとする。【００４９】
まず、放送受信装置２０１は、最初に、チャンネルのインデックス番号ｎを０に初期化する（Ｓ３０１）。チャンネルのインデックス番号ｎとは、放送局ごとに割り当てられた周波数帯に対応したいわゆるチャンネル番号ではなく、チューナ部２０２が放送波から抽出可能なチャンネルに、０から順に割り当てた番号のことである。割り当て方は放送受信装置２０１が任意に決定する。【００５０】
インデックス番号ｎの割り当ての一例を、図４に示す。図４は、インデックス番号ｎの割り当ての一例を示す図である。放送受信装置２０１は、図４（ａ）のように、チャンネルインデックス番号に、チューナ部２０２が抽出可能なチャンネル番号順に割り当ててもよい。または、図４（ｂ）のように、チャンネルインデックス番号に、まずリモコンＩＤ順にチャンネル番号を割り当て、その後に、リモコンＩＤのないチャンネルの番号を任意の順で割り当ててもよい。【００５１】
インデックス番号ｎの初期化処理後、チューナ部２０２は、チャンネルｎの信号を放送波から抽出する（Ｓ３０２）。つぎに、起動制御信号検出部２０４が、チューナ部２０２によって抽出された信号から、起動制御信号を検出する（Ｓ３０３）。ここで、起動制御信号検出部２０４は、起動制御信号をＯＮ状態として検出した場合、信号復調部２０３、分離復号部２０５、表示部２０６、および音声出力部２０７を起動する（Ｓ３０６）。【００５２】
一方、起動制御信号検出部２０４は、起動制御信号をＯＦＦ状態として検出した場合、チューナ部２０２に対しチャンネル切り替え制御を行う（Ｓ３０４）。ここでいう切り替え制御とは、チューナ部２０２が抽出する信号のチャンネル番号を、現在の番号からその次の番号に変更させる制御のことである。なお図３の処理は、ｎが抽出可能な総チャンネル数以上になったらＳ３０１に、そうでなければＳ３０２に戻る（Ｓ３０５）。【００５３】
（作用効果）
以上のように、放送受信装置２０１において、起動制御信号検出部２０４は、放送受信装置２０１が受信可能な全てのチャンネルを監視する。そして、いずれかのチャンネルにおいてプッシュ型放送が開始されたと判定した場合に、信号復調部２０３、分離復号部２０５、表示部２０６、および音声出力部２０７を起動制御する。これにより放送受信装置２０１は、プッシュ型放送コンテンツを再生し、利用者に提示することができる。【００５４】
すなわち本実施形態のプッシュ型放送システム１００では、放送送信装置１０１が放送する放送コンテンツを放送受信装置２０１が受信する。そして、放送受信装置２０１は、放送コンテンツに含まれる起動制御信号がＯＮの場合に、当該放送コンテンツを利用者の操作なしに自動的に再生し、利用者に提示する。したがって、プッシュ型放送サービスの提供者は、放送受信装置２０１の利用者にプッシュ型放送のコンテンツを利用させるために、サービスを行うチャンネルを周知する手間を削減できる。また、放送受信装置２０１の利用者は、プッシュ型放送のコンテンツを利用するために、手動でチャンネルを設定する手間を削減できる。すなわち、放送受信装置２０１を通じてプッシュ型放送を利用する際の、利用者の利便性を高めることができる。【００５５】
なお、本実施形態では、放送コンテンツを構成するデータの全てを利用者に提示している。しかし、放送受信装置２０１がたとえばフリップタイプの（すなわち折りたたみ可能な）装置であれば、フリップ閉状態においては利用者が表示部２０６によって再生される画像を閲覧できない。そこで起動制御信号検出部２０４は、フリップ閉状態の場合には、表示部２０６は起動せずに音声出力部２０７を起動することによって、画像を表示することなく音声のみを出力させるようにしてもよい。【００５６】
（放送送信装置の他の第１の構成）
図１の例では、放送送信装置１０１が放送受信装置２０１に放送するコンテンツは、放送コンテンツ蓄積部１０６にあらかじめ蓄積されている。しかし、放送コンテンツは放送送信装置１０１の外部にあってもよい。【００５７】
かかる構成の放送送信装置１７０１を、図１７を参照して以下に説明する。図１７は、本発明の第１の実施形態に係る放送送信装置の他の要部構成を示すブロック図である。この図に示すように、放送送信装置１７０１は、多重化部１７０２、伝送路符号化部１７０３、起動制御信号生成部１７０４（起動制御信号生成手段）、放送波送出部１７０５、音声符号化部１７０６、画像符号化部１７０７、アンテナ１７０８を備えている。また、放送送信装置１７０１はカメラ１７０８およびマイク１７０９にそれぞれ接続されている。【００５８】
放送送信装置１７０１が備える多重化部１７０２、伝送路符号化部１７０３、起動制御信号生成部１７０４、放送波送出部１７０５、およびアンテナ１７０８は、それぞれ、放送送信装置１０１が備える多重化部１０２、伝送路符号化部１０３、起動制御信号生成部１０４、放送波送出部１０５、およびアンテナ１０７と同一のものである。【００５９】
放送送信装置１７０１では、カメラ１７０８から入力した画像を画像符号化部１７０７がリアルタイムに符号化する。一方、マイク１７０９から入力した音声を、音声符号化部１７０６がリアルタイムに符号化する。これにより、放送コンテンツを多重化して、放送受信装置２０１に送信する。【００６０】
（放送送信装置の他の第２構成）
外部からコンテンツを取得して放送する他の構成の放送送信装置１８０１について、図１８を参照して以下に説明する。図１８は、本発明の第１の実施形態に係る放送送信装置の他の要部構成を示すブロック図である。この図に示すように、放送送信装置１８０１は、多重化部１８０２、伝送路符号化部１８０３、起動制御信号生成部１８０４（起動制御信号生成手段）、放送波送出部１８０５、ネットワーク接続部１８０７、およびアンテナ１８０８を備えている。また、放送送信装置１８０１は、ネットワーク１８０９を介してコンテンツサーバー１８０８に接続されている。ネットワーク１８０９は、たとえばインターネットである。またコンテンツサーバー１８０８は、上述した放送コンテンツを内部に記憶（すなわち蓄積）している。【００６１】
放送送信装置１８０１が備える多重化部１８０２、伝送路符号化部１８０３、起動制御信号生成部１８０４、放送波送出部１８０５、およびアンテナ１８０８は、それぞれ、放送送信装置１０１が備える多重化部１０２、伝送路符号化部１０３、起動制御信号生成部１０４、放送波送出部１０５、およびアンテナ１０７と同一のものである。【００６２】
図１８の例では、ネットワーク接続部１８０７がネットワーク１８０９を介してコンテンツサーバー１８０８にアクセスすることによって、コンテンツサーバー１８０８に蓄積されている放送コンテンツを取得し、多重化部１８０２に出力する。したがって放送送信装置１８０１は、外部にある放送コンテンツを多重化して放送受信装置２０１に送信できる。【００６３】
なお、上述した放送送信装置１０１、１７０１および１８０１は、いずれも１つの放送コンテンツを放送受信装置２０１に放送することを想定している。ここで、これらの装置は、地下街や屋内など、放送波の届きにくいエリアに対し放送を再送信する場合がある。再送信を行う場合、放送の対象エリアが限定されていることから、プッシュ型放送の一利用形態である、地域と密着した情報を送信するのに適している。そこで、地域と密着した情報を送信することに適した構成の放送送信装置を、図１５および図１６に示す。【００６４】
（第１の例）
図１５は、再送信を行う際に、地域と密着したプッシュ型放送の放送コンテンツを送信する放送送信装置１５０１の要部構成を示すブロック図である。この図に示すように、放送送信装置１５０１は、再多重化部１５０２、伝送路符号化部１５０３、起動制御信号生成部１５０４（起動制御信号生成手段）、放送波送出部１５０５、放送コンテンツ蓄積部１５０６、本放送受信部１５０７、アンテナ１５０８、およびアンテナ１５０９を備えている。【００６５】
放送送信装置１５０１が備える伝送路符号化部１５０３、起動制御信号生成部１５０４、放送波送出部１５０５、放送コンテンツ蓄積部１５０６、およびアンテナ１５０８は、それぞれ、放送送信装置１０１が備える伝送路符号化部１０３、起動制御信号生成部１０４、放送波送出部１０５、放送コンテンツ蓄積部１０６、およびアンテナ１０７と同一のものである。【００６６】
放送送信装置１５０１において、本放送受信部１５０７は、本放送局１５０８から送信された放送波をアンテナ１５０８を通じて受信し、再多重化部１５０２に出力する。放送コンテンツ蓄積部１５０６には、プッシュ型放送のためのコンテンツデータが蓄積されている。そこで再多重化部１５０２は、コンテンツ蓄積部１５０６から当該コンテンツデータを読み出し、入力された放送波に多重化する。これにより放送送信装置１５０１は、本放送局１５０８からの放送波が直接届きにくいエリアに向けて、コンテンツデータが多重化された放送波を再送信する。【００６７】
（第２の例）
図１６は、再送信を行う際に、地域と密着したプッシュ型放送の放送コンテンツを送信する放送送信装置１６０１の要部構成を示す図である。放送送信装置１６０１は、ネットワーク１６０９に接続しているＩＰ放送局１６０８から受信した放送コンテンツに、放送コンテンツ蓄積部１６０６に蓄積されたプッシュ型放送のためのコンテンツデータを多重化して再送信する。この図に示すように、放送送信装置１６０１は、再多重化部１６０２、伝送路符号化部１６０３、起動制御信号生成部１６０４（起動制御信号生成手段）、放送波送出部１６０５、放送コンテンツ蓄積部１６０６、ネットワーク接続部１６０７、およびアンテナ１６０８を備えている。また、放送送信装置１６０１は、ネットワーク１６１０を介してＩＰ放送局１６０９に接続されている。ネットワーク１６０９は、たとえばインターネットである。【００６８】
放送送信装置１６０１が備える伝送路符号化部１６０３、起動制御信号生成部１６０４、放送波送出部１６０５、放送コンテンツ蓄積部１６０６、およびアンテナ１６０８は、それぞれ、放送送信装置１０１が備える伝送路符号化部１０３、起動制御信号生成部１０４、放送波送出部１０５、放送コンテンツ蓄積部１０６、およびアンテナ１０７と同一のものである。【００６９】
図１６の例では、ＩＰ放送局１６０９が、放送波をネットワーク１６１０を介して放送送信装置１６０１に送信する。この放送波を、放送受信装置２０１においてネットワーク接続部１６０７が受信し、再多重化部１６０２に出力する。放送コンテンツ蓄積部１６０６には、プッシュ型放送のためのコンテンツデータが蓄積されている。そこで再多重化部１６０２は、コンテンツ蓄積部１６０６から当該コンテンツデータを読み出し、ネットワーク接続部１６０７から入力された放送波に多重化する。これにより放送送信装置１６０１は、本放送局１６０８からの放送波が直接届きにくいエリアに向けて、コンテンツデータが多重化された放送波を再送信する。【００７０】
一般に、プッシュ型放送を受信する装置では、利用者の利便性が阻害される恐れがあることが知られている。その一例として、図書館など静粛が求められる場において、利用者の意図に反してプッシュ型放送の音声が出力されることがある。また、他の例として、利用者が放送コンテンツを視聴できない状況（自動車の運転中など）において、自動的に放送コンテンツが再生されてしまう結果、電力を無駄に消費してしまうこともある。【００７１】
そこで、つぎに説明する本発明の第２の実施形態では、係る問題に鑑み、放送コンテンツを出力せずに、プッシュ型放送の存在を利用者に通知することを可能とする。【００７２】
〔実施形態２〕
本発明に係る第２の実施形態について、図面を参照して以下に説明する。【００７３】
（放送受信装置５０１の構成）
まず、本発明に係る放送受信装置５０１の要部構成について、図５を参照して以下に説明する。図５は、本発明の第２の実施形態に係る放送受信装置５０１の要部構成を示すブロック図である。この図に示すように、放送受信装置５０１は、チューナ部５０２、信号復調部５０３（信号復調手段）、起動制御信号検出部５０４（検出手段、切り替え制御手段）、分離復号部５０５（分離復号手段）、表示部５０６（出力手段）、音声出力部５０７（出力手段）、アンテナ５０８、および振動制御部５０９（振動制御手段）を備えている。【００７４】
放送受信装置５０１が備えるチューナ部５０２、信号復調部５０３、分離復号部５０５、表示部５０６、音声出力部５０７、およびアンテナ５０８は、放送受信装置２０１が備えるチューナ部２０２、信号復調部２０３、分離復号部２０５、表示部２０６、音声出力部２０７、およびアンテナ２０８と同一のものである。【００７５】
ここで、図５に示すように、起動制御信号検出部５０４は、表示部５０６、音声出力部５０７、および振動制御部５０９の起動を制御する。すなわち放送受信装置５０１において、起動制御信号検出部５０４は、起動制御信号を検出すると、表示部５０６、音声出力部５０７、および振動制御部５０９の少なくともいずれかの起動を制御する。ここでいう「起動の制御」とは、起動制御信号の検出前には起動されていない表示部５０６、音声出力部５０７、および振動制御部５０９の少なくともいずれかを、起動制御信号の検出後に起動させる状態にすることを意味する。【００７６】
（プッシュ型放送の存在を画面に表示）
表示部５０６は、起動制御信号検出部５０４からの起動制御を受けると、起動後に、たとえば図８に示すようなテキストを表示する。図８は、プッシュ型放送を検出した場合のテキスト表示の一例を示す図である。このテキストは、プッシュ型放送の存在を利用者に通知する内容を含んでいる。したがって、図８のテキストを読んだ利用者は、プッシュ型放送が存在し、放送受信装置５０１を通じて受信できることを知ることができる。【００７７】
また、表示部５０６は、起動制御信号検出部５０４からの起動制御を受けると、起動後に、たとえば図９に示すようなアイコン９０１を表示する。図９は、プッシュ型放送を検出した場合のアイコン表示の一例を示す図である。アイコン９０１は、プッシュ型放送の存在を利用者に通知する内容を含んでいる。したがって、図９のアイコンを目にした利用者は、プッシュ型放送が存在し、放送受信装置５０１を通じて受信できることを知ることができる。【００７８】
なお、図８のテキストおよび図９のアイコン９０１は、それぞれあくまで一例にすぎない。表示部５０６は、プッシュ型放送の存在をユーザに通知できる内容であれば、他の文言のテキスト、あるいは他のデザインのアイコン（画像）を表示してもよい。【００７９】
（プッシュ型放送の存在を音声により通知）
音声出力部５０７は、起動制御信号検出部５０４からの起動制御を受けると、起動後に、利用者にプッシュ型放送の存在を知らせる所定の音声（電子音や音楽など）を出力する。係る音声を耳にすることによって、利用者は、プッシュ型放送の存在を知ることができる。【００８０】
（振動による通知）
振動制御部５０９は、起動制御信号検出部５０４からの起動制御を受けると、起動後に、放送受信装置５０１を振動させる。係る振動により、利用者はプッシュ型放送の存在を知ることができる。【００８１】
起動制御信号検出部５０４が、表示部５０６、音声出力部５０７、および振動制御部５０９のいずれか１つの起動を制御するのか、またはこれらの起動を組み合わせて複数制御するのかは、放送受信装置５０１においてあらかじめ定められていればよい。また、利用者が適宜設定してもよい。放送受信端末５０１は、振動制御部５０９を使用しないなら備えていなくてもよい。【００８２】
起動制御信号検出部５０４は、互いに異なる複数のプッシュ型放送を複数検出した場合（すなわち互いに異なる複数の起動制御信号を検出した場合）には、検出したプッシュ型放送の数に応じた起動制御を行ってもよい。この場合、表示部５０６は、検出されたプッシュ型放送の数を示すテキストやアイコンを表示する。また、音声出力部５０７は、検出されたプッシュ型放送の数を示す音声を出力する。また、振動制御部５０９は、検出されたプッシュ型放送の数を示す振動パターンによって、放送受信装置５０１を振動させる。【００８３】
いずれの場合によっても、放送受信装置５０１は、プッシュ型放送の数を利用者に通知できる。また、表示部５０６は、たとえば複数のプッシュ型放送の名称を一覧表示してもよい。この場合、利用者は、複数のプッシュ型放送から所望のプッシュ型放送を選択して視聴できる。【００８４】
（作用効果）
以上のように、本実施形態の放送受信装置５０１は、プッシュ型の放送コンテンツを再生することなく、プッシュ型放送の存在を利用者に通知できる。これにより、放送受信装置５０１を使う際の利用者の利便性を向上できる。たとえば、静粛が求められる場において利用者の意図に反した音声を出力してしまうことを未然に防ぐことができる。または、利用者が視聴不可能な状況下においてコンテンツを再生することがないので、電力を無駄に消費してしまうことを防止できる。【００８５】
〔実施形態３〕
本発明に係る第３の実施形態について、図面を参照して以下に説明する。【００８６】
（放送受信装置６０１の構成）
まず、本実施形態に係る放送受信装置６０１の要部構成を、図６を参照して以下に説明する。図６は、本発明の第３の実施形態に係る放送受信装置６０１の要部構成を示すブロック図である。この図に示すように、放送受信装置６０１は、検出用チューナ部６０２（検出用チューナ手段）、信号復調部６０３（信号復調手段）、起動制御信号検出部６０４（検出手段、切り替え制御手段）、分離復号部６０５（分離復号手段）、表示部６０６（出力手段）、音声出力部６０７（出力手段）、アンテナ６０８、および視聴用チューナ部６１０（視聴用チューナ手段）を備えている。【００８７】
放送受信装置６０１が備える信号復調部６０３、分離復号部６０５、表示部６０６、および音声出力部６０７は、それぞれ、放送受信装置２０１が備える信号復調部２０３、分離復号部２０５、表示部２０６、および音声出力部２０７と同一のものである。検出用チューナ部６０２および視聴用チューナ部６１０は、いずれも放送波を受信し、受信した放送波から、指定のチャンネルの信号を抽出する。放送受信装置６０１では、利用者が実際に視聴する放送コンテンツの信号を抽出するのは、視聴用チューナ部６１０である。【００８８】
本実施形態の放送受信装置６０１では、図６に示すように、起動制御信号検出部６０４による制御の対象および内容が、起動制御信号検出部２０４のものとは異なる。具体的には、起動制御信号検出部６０４は、起動制御信号を検出すると、視聴用チューナ部６１０に対しチャンネル切り替え制御を行う。ここでいう「チャンネル切り替え制御」とは、視聴用チューナ部６１０が放送波から抽出する信号のチャンネル番号を、プッシュ型放送のチャンネル番号に切り替える制御を意味する。この制御により、放送受信装置６０１は、視聴中のチャンネルを強制的にプッシュ型放送のチャンネルに切り替える。【００８９】
（プッシュ型放送時の動作）
プッシュ型放送を受信した時の放送受信装置６０１の動作について、図１０を参照して以下に説明する。図１０は、本発明の第３の実施形態に係る放送受信装置６０１が、起動制御信号を検出したときに、受信チャンネルを強制的にプッシュ型放送のものに切り替える際の処理の流れを示すフローチャートである。【００９０】
この図に示すように、まず放送受信装置６０１は、最初に、チャンネルのインデックス番号ｎを０に初期化する（Ｓ１００１）。チャンネルのインデックス番号ｎとは、放送局ごとに割り当てられた周波数帯に対応したいわゆるチャンネル番号ではなく、検出用チューナ部６０２が放送波から抽出可能なチャンネルに、０から順に割り当てた番号のことである。割り当て方は放送受信装置６０１が任意に決定する。【００９１】
チャンネルのインデックス番号ｎの初期化完了後、検出用チューナ部６０２が、受信した放送波からインデックス番号ｎの信号を抽出する（Ｓ１００２）。そして起動制御信号検出部６０４が、抽出された信号から起動制御信号を検出する（Ｓ１００３）。起動制御信号検出部６０４は、起動制御信号をＯＮ状態として検出した場合、視聴用チューナ部６１０に対し、該当チャンネルへの切り替え制御を行う（Ｓ１００６）。【００９２】
起動制御信号検出部６０４は、該当チャンネルへの切り替え制御を行った後、次のチャンネルの起動制御信号を抽出するために、検出用チューナ部６０２に対しチャンネル切り替え制御を行う（Ｓ１００４）。ここでいう「チャンネル切り替え制御」とは、現在のインデックス番号ｎに値を１つ加えて新しいインデックス番号ｎとし、当該新しいインデックス番号ｎの信号を抽出するように、検出用チューナ部６０２を制御することである。なお、起動制御信号検出部６０４は、起動制御信号をＯＦＦ状態として検出した場合も、次のチャンネルの起動制御信号を抽出するために、検出用チューナ部６０２に対しチャンネル切り替え制御を行う（Ｓ１００４）。【００９３】
Ｓ１００４の処理の完了後、起動制御信号検出部６０４は、インデックス番号ｎが、抽出可能な総チャンネル数以上か否かを判定する（Ｓ１００５）。この判定の結果が「真」であるとき（ＹＥＳ）にはＳ１００１の処理に戻り、一方「偽」であるとき（ＮＯ）にはＳ１００２の処理に戻る（Ｓ１００５）。【００９４】
（作用効果）
以上のように、本実施形態の放送受信装置６０１は、放送波として受信可能な全てのチャンネルの信号の状態を監視する。そして、いずれかのチャンネルにおいてプッシュ型放送が開始されたことを検出した（すなわち受信した信号から起動制御信号を検出した）場合、視聴用チューナ部６１０が受信する放送波のチャンネルを、当該検出されたチャンネルに切り替える。これにより放送受信装置６０１は、検出したプッシュ型放送のコンテンツを、利用者による操作を受け付けることなく自動的に再生して、利用者に提示できる。したがって、放送受信装置６０１を用いる際の利用者の利便性が向上する。【００９５】
〔実施形態４〕
本発明に係る第４の実施形態について、説明する。【００９６】
（放送受信装置７０１の構成）
図７は、本発明の第４の実施形態に係る放送受信装置の概略構成を示すブロック図である。この図に示すように、放送受信装置７０１は、検出用チューナ部７０２（検出用チューナ手段）、信号復調部７０３（信号復調手段）、起動制御信号検出部７０４（検出手段、切り替え制御手段、出力制御手段）、分離復号部７０５、表示部７０６（出力手段）、音声出力部７０７（出力手段）、アンテナ７０８、振動制御部７０９（振動制御手段）、視聴用チューナ部７１０を備えている。【００９７】
放送受信装置７０１が備える信号復調部７０３、分離復号部７０５、表示部７０６、音声出力部７０７、振動制御部７０９、およびアンテナ７０８は、それぞれ、放送受信装置５０１が備えるチューナ部５０２、信号復調部５０３、分離復号部５０５、表示部５０６、音声出力部５０７、アンテナ５０８、および振動制御部５０９と同一のものである。また、放送受信装置７０１が備える検出用チューナ部７０２および視聴用チューナ部７１０は、それぞれ、放送受信装置６０１が備える検出用チューナ部６０２および視聴用チューナ部６１０と同一のものである。【００９８】
ここで図７に示すように、放送受信装置７０１において、起動制御信号検出部７０４は、起動制御信号を検出すると、表示部７０６、音声出力部７０７、および振動制御部７０９のうち少なくともいずれかに対し、プッシュ型放送の存在を利用者に通知するための出力制御を行う。ここでいう「出力制御」とは、既に放送の視聴のために起動されている表示部７０６、音声出力部７０７、および振動制御部７０９の少なくともいずれかに、起動制御信号の検出後にプッシュ型放送の存在を通知するためのテキストやアイコンの表示、音声の出力、振動パターンの出力などを行うことを意味する。【００９９】
起動制御信号検出部７０４による出力制御により、表示部７０６、音声出力部７０７、および振動制御部７０９に出力する内容は、本発明の第２の実施形態に係る起動制御信号検出部５０４によるものと同一である。すなわち起動制御信号検出部７０４による出力制御を受けると、表示部７０６は、プッシュ型放送の存在を通知するテキストやアイコンを表示する。一方、音声出力部７０７は、プッシュ型放送の存在を通知する音声を出力する。また、振動制御部７０９は、プッシュ型放送の存在を通知する振動パターンによって放送受信装置７０１を振動させる。これらの制御によって、放送受信装置７０１は、利用者が他の番組を視聴中にも、当該利用者にプッシュ型放送の存在を通知できる。【０１００】
（放送受信装置７０１の動作）
プッシュ型放送を受信する際の放送受信装置７０１の動作について、図１１のフローチャートに示す。図１１は、本発明の第４の実施形態に係る放送受信装置７０１が、起動制御信号を検出したときに、表示部７０６、音声出力部７０７、および振動制御部７０９のうち少なくともいずれかの起動を制御する際の処理の流れを示すフローチャートである。【０１０１】
放送受信装置７０１がプッシュ型放送を受信する際の動作は、基本的に、放送受信装置６０１のそれと同一である。ただし、放送受信装置６０１がＳ１００６においてチャンネル切り替え制御を行うのに対し、放送受信装置７０１は、Ｓ１００６に対応するＳ１１０６において、表示部７０６、音声出力部７０７、および振動制御部７０９のうち少なくともいずれかの出力制御を行う。【０１０２】
起動制御信号検出部７０４が起動制御を行う対象の部材は、表示部７０６、音声出力部７０７、および振動制御部７０９のいずれか一つであればよい。あるいは、これらのうちいくつかの組み合わせでもよい。どのような組み合わせとするかは、放送受信装置７０１においてあらかじめ固定的に設定されていてもよいし、または利用者が設定してもよい。【０１０３】
起動制御信号検出部７０４が、表示部７０６、音声出力部７０７、および振動制御部７０９のいずれか１つに対する出力を制御するのか、またはこれらへの出力を組み合わせて複数制御するのかは、放送受信装置７０１においてあらかじめ定められていればよい。また、利用者が適宜設定してもよい。放送受信装置７０１は、振動制御部７０９を使用しないのなら備えていなくてもよい。【０１０４】
起動制御信号検出部７０４は、互いに異なる複数のプッシュ型放送を複数検出した場合（すなわち互いに異なる複数の起動制御信号を検出した場合）には、検出したプッシュ型放送の数に応じた出力制御を行ってもよい。この場合、表示部７０６は、検出されたプッシュ型放送の数を示すテキストやアイコンを表示する。また、音声出力部７０７は、検出されたプッシュ型放送の数を示す音声を出力する。また、振動制御部７０９は、検出されたプッシュ型放送の数を示す振動パターンによって、放送受信装置７０１を振動させる。【０１０５】
いずれの場合でも、放送受信装置７０１は、プッシュ型放送の数を利用者に通知できる。また、表示部７０６は、たとえば複数のプッシュ型放送の名称を一覧表示してもよい。この場合、利用者は、複数のプッシュ型放送から所望のプッシュ型放送を選択して視聴できる。【０１０６】
（作用効果）
以上のように、本実施形態の放送受信装置７０１は、利用者が他の番組を視聴中であっても、プッシュ型放送の存在を利用者に通知できる。これにより、放送受信装置７０１を使う際の利用者の利便性を向上できる。たとえば、視聴中の番組のハイライトシーンを見逃すことなくプッシュ型放送の存在を知り、ハイライトシーンの終了後など、利用者の所望のタイミングでプッシュ型放送に切り替えることができる。また、プッシュ型放送が複数ある場合に、利用者が所望のプッシュ型放送を選択して視聴できる。【０１０７】
（付記事項）
以上に説明した実施形態１から４のいずれにおいても、チューナ部および起動制御信号検出部によるプッシュ型放送サービスの検出処理は、間欠的に行ってもよい。利用者が持ち歩くことを前提とした放送受信装置の場合、電力の供給源となる電池の持続時間はできるだけ長い方が望ましい。そこで放送受信装置がプッシュ型放送サービスの検出処理を間欠的に行うことによって、時間当たりの消費電力を抑え、電池の消耗を抑えることができる。【０１０８】
（起動制御信号の特性）
上述した起動制御信号生成部１０４により生成する起動制御信号の例として、図２のようなプッシュ型放送のサービス期間中、ＯＮ状態を維持する信号を挙げた。同様に、放送中の期間をＯＮまたはＯＦＦ状態の信号によって示すものに、ＩＳＤＢ−Ｔ緊急警報放送用起動フラグがある。このフラグは、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号に含まれている。放送受信装置はこのフラグを監視し、フラグがＯＮ状態となり、さらにＰＭＴ（Ｐｒｏｇｒａｍ  Ｍａｐ  Ｔａｂｌｅ）の緊急情報記述子に記載されたａｒｅａ＿ｃｏｄｅが放送受信装置に設定されている地域符号に一致する場合、緊急情報記述子に記述されているサービスを選局して受信する。【０１０９】
放送受信装置は緊急警報放送への対応のために、上記緊急警報放送用起動フラグを監視する。回路規模や省電力化の面から、プッシュ型放送サービスも、ＴＭＣＣ信号の監視によって検出できることが望ましい。そこで、ＴＭＣＣ信号の中に、プッシュ型放送サービスの有無を示すフラグを追加する。または、緊急警報放送用起動フラグをプッシュ型放送サービスの起動フラグとして共用する。共用する場合、緊急警報放送との識別方法が重要となる。共用する場合には、誤動作を防ぐため緊急情報記述子のｓｔａｒｔ＿ｅｎｄ＿ｆｌａｇは０（テストモード）とする。【０１１０】
たとえば、緊急警報放送用起動フラグのＯＮ／ＯＦＦを周期的に切り替えてもよい。この例を図１２に示す。図１２は、起動制御信号としてＴＭＣＣ信号の緊急警報放送用起動フラグを用いた場合の、緊急警報放送との識別を可能とする信号の一例を示す図である。この図に示す切り替えのパターンによって、緊急警報放送とプッシュ型放送を区別できる。すなわち、緊急警報放送においては、緊急警報放送用起動フラグを０にしてから１にするまでの期間は１秒以上かつ４ＯＦＤＭフレーム以上と定められているので、誤動作を防ぐためこれに準じることが好ましい。【０１１１】
また、緊急情報記述子を利用してもよい。図１３は、ＡＲＩＢ  ＳＴＤ−Ｂ１０において定められている、緊急情報記述子のシンタックスを示す図である。リザーブ領域として、「ｒｅｓｅｒｖｅｄ＿ｆｕｔｕｒｅ＿ｕｓｅ」が６つある。そこでこのうちのひとつを、プッシュ型放送を示すフラグとして、緊急情報記述子のリザーブ領域に追加してもよい。この例を図１４に示す。図１４は、起動制御信号としてＴＭＣＣ信号の緊急警報放送用起動フラグを用いた場合の、緊急警報放送との識別を可能とする緊急情報記述子のシンタックス例を示す図である。【０１１２】
この図の例では、緊急情報記述子のリザーブ領域に、プッシュ型放送を示すフラグとして、「ｐｕｓｈ−ｂａｓｅ＿ｂｒｏａｄｃａｓｔ＿ｆｌａｇ」が追加されている。起動制御信号検出部は、このフラグを確認することによって、緊急警報放送とプッシュ型放送とを確実に識別できる。【０１１３】
また、ＰＭＴの中にプッシュ型放送を示す記述子を設けてもよい。【０１１４】
また、本発明に係る放送受信装置では、さらに、
上記出力手段は、表示手段であり、
上記起動制御手段は、上記表示手段を起動させて、プッシュ型放送の存在を通知する情報を表示させることが好ましい。【０１１５】
上記の構成によれば、利用者に、プッシュ型放送の存在を確実に通知できる効果を奏する。【０１１６】
また、本発明に係る放送受信装置では、さらに、
上記出力手段は、音声出力手段であり、
上記起動制御手段は、上記表示手段を起動させて、プッシュ型放送の存在を通知する音を出力させることが好ましい。【０１１７】
上記の構成によれば、利用者に、プッシュ型放送の存在を確実に通知できる効果を奏する。【０１１８】
また、本発明に係る放送受信装置では、さらに、上記起動制御信号は、ＯＮ状態とＯＦＦＦ状態とを周期的に繰り返すことが好ましい。【０１１９】
上記の構成によれば、起動制御信号としてＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号の緊急警報用起動フラグを用いた場合に、プッシュ型放送と緊急警報放送とを識別でき、装置の誤動作を防止できる。【０１２０】
（プログラムおよび記録媒体）
最後に、上記放送受信装置に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。【０１２１】
すなわち放送受信装置は、各機能を実現する放送受信プログラムの命令を実行するＣＰＵ、この放送受信プログラムを格納したＲＯＭ（Ｒｅａｄ  Ｏｎｌｙ  Ｍｅｍｏｒｙ）、上記放送受信プログラムを実行可能な形式に展開するＲＡＭ（Ｒａｎｄｏｍ  Ａｃｃｅｓｓ  Ｍｅｍｏｒｙ）、および、上記放送受信プログラムおよび各種データを格納するメモリ等の記憶装置（記録媒体）を備えている。この構成により、本発明の目的は、所定の記録媒体によっても、達成できる。【０１２２】
この記録媒体は、上述した機能を実現するソフトウェアである放送受信装置の放送受信プログラムのプログラムコード（実行形式プログラム、中間コードプログラム、ソースプログラム）をコンピュータで読み取り可能に記録していればよい。放送受信装置に、この記録媒体を供給する。これにより、コンピュータとしての放送受信装置（またはＣＰＵやＭＰＵ）が、供給された記録媒体に記録されているプログラムコードを読み出し、実行すればよい。【０１２３】
プログラムコードを放送受信装置に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。【０１２４】
また、放送受信装置を通信ネットワークと接続可能に構成しても、本発明の目的を達成できる。この場合、上記のプログラムコードを、通信ネットワークを介して放送受信装置に供給する。この通信ネットワークは放送受信装置にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。【０１２５】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。【０１２６】
以上のように、本発明に係る放送受信装置は、起動制御信号が検出されたときに、各手段を起動制御したりチャンネル切り替え制御したりする手段を備えているため、放送受信装置を通じてプッシュ型放送を利用する際の、利用者の利便性を高め効果を奏する。具体的には、トラフィックの増大などにより他のサービスに影響を与えることなく、プッシュ型放送サービスの存在を利用者に確実に通知すると共に、サービス利用のための操作を簡単にできる。【０１２７】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【産業上の利用可能性】
【０１２８】
本発明は、プッシュ型放送が存在する場合に、利用者の利便性を向上できる放送受信装置として、幅広く利用できる。また、本発明は、特定の地域内の放送受信装置に向けて、セール情報やクーポンなど地域に密着した情報を送信する放送受信装置として効果的である。なお、狭い地域向けの放送に限定されるものではなく、広域放送用にも利用できる。
【図１】
2009011319.tif 000003
【図２】
2009011319.tif 000004
【図３】
2009011319.tif 000005
【図４】
2009011319.tif 000006
【図５】
2009011319.tif 000007
【図６】
2009011319.tif 000008
【図７】
2009011319.tif 000009
【図８】
2009011319.tif 000010
【図９】
2009011319.tif 000011
【図１０】
2009011319.tif 000012
【図１１】
2009011319.tif 000013
【図１２】
2009011319.tif 000014
【図１３】
2009011319.tif 000015
【図１４】
2009011319.tif 000016
【図１５】
2009011319.tif 000017
【図１６】
2009011319.tif 000018
【図１７】
2009011319.tif 000019
【図１８】
2009011319.tif 000020
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
放送波を受信し、当該放送波から任意のチャンネルの信号を抽出する視聴用チューナ手段と、
上記信号を復調することによって、多重化されたストリームデータを生成する信号復調手段と、
上記ストリームデータを、放送コンテンツを構成する個別データに分離する分離復号手段と、
上記個別データを出力する出力手段とを備えている放送受信装置であって、
上記放送波を受信し、当該放送波から、上記視聴用チューナ手段で抽出した信号のチャンネルとは異なる他のチャンネルの信号を抽出する検出用チューナ手段と、
上記他のチャンネルの信号から、起動制御信号を検出する検出手段と、
上記検出手段によって上記起動制御信号が検出されたとき、上記視聴用チューナ手段が抽出する信号のチャンネルを、上記他のチャンネルに切り替える切り替え制御手段とをさらに備えていることを特徴とする放送受信装置。
【請求項６】
放送波を受信し、当該放送波から任意のチャンネルの信号を抽出する視聴用チューナ手段と、
上記信号を復調することによって、多重化されたストリームデータを生成する信号復調手段と、
上記ストリームデータを、放送コンテンツを構成する個別データに分離する分離復号手段と、
上記個別データを出力する出力手段とを備えている放送受信装置であって、
上記放送波を受信し、当該放送波から、上記視聴用チューナ手段で抽出した信号のチャンネルとは異なる他のチャンネルの信号を抽出する検出用チューナ手段と、
上記他のチャンネルの信号から、起動制御信号を検出する検出手段と、
上記検出手段によって上記起動制御信号が検出されたとき、上記出力手段に対し、プッシュ型放送の存在を通知する視覚情報または音のいずれかを出力させるための出力制御手段とをさらに備えていることを特徴とする放送受信装置。
【請求項７】
放送波を受信し、当該放送波から任意のチャンネルの信号を抽出する視聴用チューナ手段と、
上記信号を復調することによって、多重化されたストリームデータを生成する信号復調手段と、
上記ストリームデータを、放送コンテンツを構成する個別データに分離する分離復号手段と、
上記個別データを出力する出力手段とを備えている放送受信装置であって、
上記放送波を受信し、当該放送波から、上記視聴用チューナ手段で抽出した信号のチャンネルとは異なる他のチャンネルの信号を抽出する検出用チューナ手段と、
上記他のチャンネルの信号から、起動制御信号を検出する検出手段と、
放送受信装置を振動させる振動制御手段と、
上記検出手段によって上記起動制御信号が検出されたとき、上記振動制御手段を起動させる起動制御手段とをさらに備えていることを特徴とする放送受信装置。
【請求項８】
上記起動制御信号は、ＯＮ状態とＯＦＦ状態とを周期的に繰り返すことを特徴とする請求の範囲第５項〜第７項のいずれか１項に記載の放送受信装置。
【請求項９】
放送送信装置と、請求の範囲第５項〜第７項のいずれか１項に記載の放送受信装置とを含んだ放送システムであって、
上記放送送信装置は、
上記起動制御信号を生成する生成手段と、
上記生成された起動制御信号が多重化された上記放送波を上記放送受信装置に送信する送信手段とを備えていることを特徴とする放送システム。
【請求項１０】
請求の範囲第５項〜第７項のいずれか１項に記載の放送受信装置を動作させる放送受信プログラムであって、コンピュータを上記の各手段として機能させるための放送受信プログラム。
【請求項１１】
請求の範囲第１０項に記載の放送受信プログラムを記録しているコンピュータ読み取り可能な記録媒体。
【国際調査報告】
2009011319.tif 000021
2009011319.tif 000022